(57)【特許請求の範囲】
【請求項１】
屋外に設置された対象物に取り付けられるように中空筒状に形成され、側壁の一ヵ所が筒の中心軸に沿って切断された本体部を有し、複数の取付穴が穿設された被覆材と、
鳥を含む小動物を前記対象物に寄り付かせないように、前記被覆材に取り付けられる鳥獣害防止具本体と
からなる鳥獣害防止具であって、
前記鳥獣害防止具本体は、
可撓性を有した材料により、長板状に形成された取付基材と、
前記取付基材の一つの表面を外表面とし、前記外表面の背面を裏面として、前記取付基材の長手方向に沿って一列に、しかも、前記外表面から垂直方向に突設された複数の針状体と、
前記針状体それぞれの側壁両側から、前記取付基材の長手方向と直交する方向に沿って突出する一対の枝部と、
前記被覆材に固定するために、前記裏面に突設された複数の結合突起とを備え、
予め規定された間隔毎に、前記取付基材それぞれの長手方向が平行となる螺旋状に、前記結合突起それぞれを前記取付穴に挿入固定することで、複数の前記鳥獣害防止具本体を前記被覆材に取り付けたことを特徴とする鳥獣害防止具。
【請求項２】
前記針状体は、
前記取付基板での突設部位から当該針状体の頂部までの高さが異なる複数種類によって構成されていることを特徴とする請求項１に記載の鳥獣害防止具。
【請求項３】
前記枝部は、
前記針状体での突出部分から当該枝部の終端部までの長さが異なる複数種類によって構成されていることを特徴とする請求項１または請求項２に記載の鳥獣害防止具。
【請求項４】
前記鳥獣害防止具本体は、
透明または半透明の形成材料からなることを特徴とする請求項１ないし請求項３のいずれかに記載の鳥獣害防止具。
【発明の詳細な説明】
【０００１】
【発明の属する技術分野】
本発明は、電柱や建物等の各種構造物、または電線等の各種架設物等の設置対象物の外表面に取り付けることによって、鳥を含む小動物を対象物に寄り付かせないようにする鳥獣害防止具に関する。
【０００２】
【従来の技術】
従来、この種の鳥獣害防止具としては、例えば、設置対象物（以下、単に対象物という）が電線である場合には、その電線を被覆可能な被覆管と、この被覆管の周囲に取り付けられる取付基材と、この取付基材に突出した複数の針状体と、針状体の側壁から突出した枝部とからなるものが提案されている（特願平１０−２８７９２６号）。
【０００３】
そして、この防止具によれば、このような複数の針状体が障害となって鳥が電線につかまりにくくなることで、鳥が電線に寄り付かなくなるようになるため、電線を含め近隣に対する糞害等の発生を防ぐことができた。
【０００４】
【発明が解決しようとする課題】
しかしながら、このような従来の鳥獣害防止具では、針状体が被覆管の周囲にほぼ規則的に突設されていたため、本来ならば鳥を電線につかまらせないようにすると共に、鳥の目に鳥獣害防止具が複雑な形状に写らせることにより、対象物に近寄らせないようにするものであるが、鳥が幾度となく鳥獣害防止具に接近する（または、つかまろうとする）うちに、ほぼ規則的に突設された針状体に目が慣れてしまい、結果として鳥獣害防止具としての効果が次第に低下してしまうといった不具合が生じている。
【０００５】
また、鳥による糞害等の発生は何も電線の近隣に限られるものではない。例えば、マンションのベランダの手すり等は鳥が止まったりし易く、これに伴って糞害等を発生し易くなるので、マンション住民等にとっては深刻な問題である。更に、このような害を引き起こすのは鳥に限らず、最近では、ネズミやリスといった小動物による害の発生が深刻化しつつある。
【０００６】
本発明は、こうした問題に鑑みなされたものであり、長期間に亘って持続する高い鳥獣害防止効果を備えることができる鳥獣害防止具を提供する。
【０００７】
【課題を解決するための手段及び発明の効果】
かかる目的を達成するためになされた請求項１記載の発明は、屋外に設置された対象物に取り付けられるように中空筒状に形成され、側壁の一ヵ所が筒の中心軸に沿って切断された本体部を有し、複数の取付穴が穿設された被覆材と、鳥を含む小動物を前記対象物に寄り付かせないように、前記被覆材に取り付けられる鳥獣害防止具本体とからなる鳥獣害防止具である。このうち、前記鳥獣害防止具本体は、可撓性を有した材料により、長板状に形成された取付基材と、前記取付基材の一つの表面を外表面とし、前記外表面の背面を裏面として、前記取付基材の長手方向に沿って一列に、しかも、前記外表面から垂直方向に突設された複数の針状体と、前記針状体それぞれの側壁両側から、前記取付基材の長手方向と直交する方向に沿って突出する一対の枝部と、前記被覆材に固定するために、前記裏面に突設された複数の結合突起とを備えている。そして、鳥獣害防止具は、予め規定された間隔毎に、前記取付基材それぞれの長手方向が平行となる螺旋状に、前記結合突起それぞれを前記取付穴に挿入固定することで、複数の前記鳥獣害防止具本体を前記被覆材に取り付けたことを特徴とする。
【０００８】
つまり、本発明（請求項１）のように、予め規定された間隔毎に、取付基材それぞれの長手方向が平行となる螺旋状に、結合突起それぞれを前記取付穴に挿入固定することで、複数の鳥害防止具本体が被覆材に取り付けられると、被覆材と鳥害防止具本体とからなる鳥獣害防止具が複雑な外観を呈するようになって、小動物が慣れにくくなるのである。従って、長期間に亘って持続する高い鳥獣防止効果が得られるようになる。
【０００９】
尚、本発明の鳥獣害防止具は、単に鳥が対象物に止まることによって害が生じるのを防止するために用いることができるだけでなく、他の小動物（例えば、ネズミ、リス、蛇等）が対象物上を徘徊することによって害が生じるのを防止するのにも用いることができる。
【００１０】
そして、請求項１の鳥獣害防止具本体における針状体は、請求項２に記載のように、前記取付基板での突設部位から当該針状体の頂部までの高さが異なる複数種類によって構成されていても良い。このように構成すれば、被覆材と鳥獣害防止具本体とからなる鳥獣害防止具が、より複雑な外観を呈するようになって、より長期間に亘って持続する高い鳥獣害防止効果が得られる。
【００１１】
【００１２】
【００１３】
また、本発明の鳥獣害防止具を構成する鳥獣害防止具本体における枝部は、請求項３に記載のように、針状体での突出部分から当該枝部の終端部までの長さが異なる複数種類によって構成されていることが望ましい。このように構成すれば、被覆材と鳥獣害防止具本体とからなる鳥獣害防止具が、より複雑な外観を呈するようになって、より長期間に亘って持続する高い鳥獣害防止効果が得られる。
【００１４】
【００１５】
【００１６】
【００１７】
【００１８】
【００１９】
【００２０】
【００２１】
【００２２】
【００２３】
【００２４】
【００２５】
【００２６】
【００２７】
ところで、上記した本発明の鳥獣害防止具を構成する鳥獣害防止具本体では、第１に、鳥獣害を防止する役割の主体を針状体に持たせておき、飛来等により対象物に接近する鳥を止まらせないようにするためのものである。つまり、鳥獣害防止具本体は、針状体が針状を呈することにより、対象物に止まる小動物の体に対して、刺すような感覚を与えるのが重要なのである。尚、本明細書において、針状体とは、単に針状を呈するもののみならず、例えば、先端に向かって徐々に後端よりも縮径すると共に、先端がやや丸みを帯びているものであったり、或いは、同じく先端が尖っているものや、全体が細い棒状を呈するものまでも含むものとする。
【００２８】
更に、上記した本発明の鳥獣害防止具を構成する鳥獣害防止具本体では、針状体の側壁に枝部を突出させることによって、針状体だけでなく枝部をも用いて、対象物に接近する鳥を止まらせないようにするためのものである。つまり、鳥獣害防止具本体は、小動物の体に対して、針状体及び枝部の両方にて刺すような感覚を与えるようにするのが重要なのである。
【００２９】
尚、本明細書において、枝部は、針状を呈するものや、先端に向かって徐々に後端よりも縮径すると共に、先端がやや丸みを帯びているものであったり、或いは、同じく先端が尖っているものや、全体が細い棒状を呈するものまでも含むものとする。また、枝部を針状体の側壁に複数突出させてもよい。または、枝部の途中から枝分かれするといったように、枝部の側壁から枝部を更に突出させてもよい。このようにすれば、対象物に止まったり、徘徊する小動物の体にからみつくように枝部が接触するようになるため、小動物は驚愕して速やかに対象物から離脱するようになると共に、対象物に対して恐怖を覚えるようになって、尚一層長期間に亘って持続する高い鳥獣害防止効果が得られるようになるのである。
【００３０】
そして、本発明の鳥獣害防止具を構成する鳥獣害防止具本体では、更に針状体（枝部を含む）を可撓性を有する形成材料にて形成しておけば、針状体が小動物によって踏み倒された際には、針状体の途中から折れ曲がって小動物からの衝撃を吸収できるようになり、針状体の後端部までその衝撃が伝わって、針状体が対象物から外れてしまうのを防止することができる。また、針状体に枝部が突出している場合には、針状体が小動物に踏み倒された際に、枝部が上側を向くようになるため、小動物にとっては居心地が悪く、その結果、小動物は対象物から退散するようになり、鳥獣害防止効果を高めることができるのである。
【００３１】
【００３２】
また、本発明の鳥獣害防止具を構成する鳥獣害防止具本体では、針状体、枝部、取付基材等を着色したり、或いは、それらの形成材料として着色料を混合したものを用い、鳥獣害防止具本体の形状を小動物に対して明確に認識させて対象物に近寄らせないようにしてもよいが、請求項４に記載のように、鳥獣害防止具本体の形成材料として透明または半透明のものを用いれば、小動物にとっては針状体、枝部、取付基材等の形状（ひいては鳥獣害防止具の形状）を認識することが非常に困難となり、しかも、小動物が一旦対象物に止まってしまうと、鳥獣害防止具本体（つまり、針状体または枝部）が小動物の体に触れるものの、小動物にはその形状を認識できないため、小動物は対象物自体に恐れをなし、再度対象物に近づくのが非常に苦痛で困難なものとなるのである。
【００３３】
【００３４】
【００３５】
【発明の実施の形態】
以下、本発明の鳥獣害防止具を具体化した各実施例について図面と共に説明する。まず、第１実施例の鳥獣害防止具本体２について以下に説明する。図１は本発明が適用された第１実施例の鳥獣害防止具本体２の概略構成を表す説明図であり、（ａ）は平面図、（ｂ），（ｃ）はそれぞれ（ａ）における方向Ｒ，Ｌから見た側面図、（ｄ）は（ａ）における方向Ｆから見た正面図を示す。
【００３６】
鳥獣害防止具本体２は、鳥獣害防止具本体２を対象物に取り付けるための長板状の取付基材４と、取付基材４の長手方向に沿って一列に、しかも、取付基材４の表面から垂直方向に突設された複数の針状体６とからなる。尚、本実施例では針状体が７個突設され、しかも、列中では互いに不規則な間隔を置いて配列されている。
【００３７】
そして、各針状体６の側壁左右側からは、取付基材４表面での配列方向と直交する方向に沿って、針状の枝部１０ａ，１０ｂが突出している（図１（ｄ）等参照）。また、各針状体６の高さ（即ち、取付基材４から針状体６の頂部までの距離）は同じであるものの、各枝部１０ａ，１０ｂが突出する高さ（即ち、取付基材４から枝部１０ａ，１０ｂの突出位置までの距離）が各針状体６毎に、かつ、各枝部１０ａ，１０ｂ毎にそれぞれ異なる。
【００３８】
尚、これら取付基材４，針状体６はそれぞれ可撓性を有する合成樹脂（例えば、ポリエチレン樹脂等）にて一体形成されている。このように構成された鳥獣害防止具本体２では、各針状体６が取付基材４上において不規則な間隔を置いて配列され、しかも、各枝部１０ａ，１０ｂが突出する高さが各針状体６毎に、かつ、各枝部１０ａ，１０ｂ毎に異なることにより、図１（ｂ），（ｃ），（ｄ）等に示すように、あらゆる方向から見ても鳥獣害防止具本体２自体が複雑化した形状を有するようになって、小動物の目に慣れにくくすることができるのである。
【００３９】
また、各針状体６の両側には、枝部１０ａ，１０ｂが突出しているため、小動物が対象物に止まったり、徘徊したりするのを一層防止することができる。即ち、針状体６は、取付基材４と共に可撓性の合成樹脂にて形成されているため、比較的大きな小動物に踏み倒される可能性があるが、本実施例では、針状体６が小動物に踏み倒された場合には、針状体６の横を向いていた枝部１０ａ（または、枝部１０ｂ）が上方に向けられるため、小動物にとっては居心地が悪く、その結果として小動物は対象物から退散することになるのである。
【００４０】
しかも、鳥獣害防止具本体２は、例えば、対象物の取付部分が平坦面である場合には、取付基材４の裏面（即ち、針状体６が突設された側と反対側の面）を対象物の取付部分に密着させるようにして取り付けることによって、針状体６を対象物の上方向に突出させて鳥獣害防止効果を発揮することができる。
【００４１】
また、鳥獣害防止具本体２が可撓性を有しているので、図２（ａ）に示すように、例えば、対象物が電線（特に、被覆材にて覆われた状態の電線）といった曲面を有する線状体（または、棒状体）の場合には、その外周に沿って巻き付けるようにして取り付けることによって、針状体６を線状体の上方向だけでなく、側方や、下方といった任意の方向にも突出させることができ、鳥獣害防止効果をより確実に発揮することができる。
【００４２】
更に、図２（ｂ）に示すように、取付基材４の裏面をその曲面に対応するような凹形部分を形成しておけば、線状体（または、棒状体）の軸方向に沿って外表面に密着させて取り付けることによって、針状体６を線状体の上方に突出させて鳥獣害防止効果を発揮することができる。
【００４３】
また、以上の平坦面や曲面に限らず、取付基材４が可撓性を有しているため、鳥獣害防止具本体２を対象物の形状に合わせて自由に湾曲させて取り付けることができるのである。例えば、図２（ａ）では、曲面を有する線状体に取り付ける例を示したが、対象物が平坦面を有する角材状の場合でも、鳥獣害防止具本体２を折り曲げてその外周に沿って巻き付けるようにして取り付けることもできるのである。その場合においても、曲面に取り付けた場合と同様の効果を得ることができる。
【００４４】
以上説明したように、本実施例の鳥獣害防止具本体２は、対象物に対して高い鳥獣害防止効果を得ることができ、しかもその効果を長期間に亘って持続させることができるのである。次に、第２実施例の鳥獣害防止具本体２０について以下に説明する。尚、上記した第１実施例の鳥獣害防止具本体２と同じ構成部材については、同じ符号を用いてその詳細な説明を省略する。
【００４５】
図３は鳥獣害防止具本体２０の概略構成を表す説明図であり、（ａ）は平面図、（ｂ），（ｃ）はそれぞれ（ａ）における方向Ｒ，Ｌから見た側面図、（ｄ）は（ａ）における方向Ｆから見た正面図を示す。本実施例の鳥獣害防止具本体２０では、取付基材４の表面から垂直方向に突設された複数の針状体２２と、各針状体２２の側壁左右側から突出した枝部２４ａ，２４ｂとから構成されている。尚、本実施例では針状体２２が７個突設されている。
【００４６】
そして、各針状体２２の高さは同じであるものの、各枝部２４ａ，２４ｂが突出する高さは各針状体２２毎に、かつ、各枝部２４ａ，２４ｂ毎にそれぞれ異なる。また、各枝部２４ａ，２４ｂの長さ（即ち、枝部２４ａ，２４ｂそれぞれにおいて針状体２２の側壁表面から終端部までの距離）が各針状体２２毎に、かつ、各枝部２４ａ，２４ｂ毎にそれぞれ異なる。
【００４７】
尚、針状体２２は可撓性を有する合成樹脂（例えば、ポリエチレン樹脂等）にて取付基材４と一体形成されている。このように構成された鳥獣害防止具本体２０では、各針状体２２が不規則な間隔を置いて配列され、各枝部２４ａ，２４ｂが突出する高さは各針状体２２毎に、かつ各枝部２４ａ，２４ｂ毎にそれぞれ異なる。また、各枝部２４ａ，２４ｂの長さが各針状体２２毎に、かつ、各枝部２４ａ，２４ｂ毎に異なる。従って、鳥獣害防止具本体２０自体が鳥獣害防止具本体２よりも更に複雑化した形状を有するようになって、小動物の目に一層慣れにくくすることができるのである。
【００４８】
そして、鳥獣害防止具本体２０は、例えば、上記した鳥獣害防止具本体２と同様に、対象物の取付部分が平坦である場合には、取付基材４の裏面を対象物の取付部分にそのまま密着させて取り付けることができる。また、鳥獣害防止具本体２０が可撓性を有しているので、図４（ａ）に示すように、例えば、対象物が電線（特に、被覆材にて覆われた状態の電線）といった曲面を有する線状体（または、棒状体）の場合には、その外周に沿って巻き付けるようにして密着させて取り付けることができるので、針状体２２を任意の方向にも突出させることができ、鳥獣害防止効果をより確実に発揮することができる。
【００４９】
更に、このような線状体（または、棒状体）では、図４（ｂ）に示すように、鳥獣害防止具本体２０において取付基材４の裏面をその曲面に対応するような凹形部分４ａを形成しておけば、端部方向に沿って外表面に密着させて取り付けることができるのである。
【００５０】
また、以上の平坦面や曲面に限らず、取付基材４が可撓性を有しているため、鳥獣害防止具本体２０を対象物の形状に合わせて自由に湾曲させて取り付けることができるのである。例えば、図４（ａ）では、曲面を有する線状体に取り付ける例を示したが、対象物が平坦面を有する角材状の場合でも、鳥獣害防止具本体２０を折り曲げてその外周に沿って巻き付けるようにして取り付けることもできるのである。その場合においても、曲面に取り付けた場合と同様の効果を得ることができる。
【００５１】
以上説明したように、本実施例の鳥獣害防止具本体２０は、第１実施例の鳥獣害防止具本体２と同様の作用及び効果を得ることができる上に、複雑化した形状を有することにより、小動物の目に一層慣れにくくすることができるのである。次に、第３実施例の鳥獣害防止具本体３０について以下に説明する。尚、上記した第１，第２実施例の鳥獣害防止具本体２，２０と同じ構成部材については、同じ符号を用いてその詳細な説明を省略する。
【００５２】
図５は鳥獣害防止具本体３０の概略構成を表す説明図であり、（ａ）は平面図、（ｂ），（ｃ）はそれぞれ（ａ）における方向Ｒ，Ｌから見た側面図、（ｄ）は（ａ）における方向Ｆから見た正面図を示す。本実施例の鳥獣害防止具本体３０では、取付基材４の表面から垂直方向に突設された複数の針状体３２と、各針状体３２の側壁左右側から突出した枝部１０ａ，１０ｂとから構成されている。尚、本実施例では針状体３２が７個突設されている。
【００５３】
そして、各針状体３２は高さが異なる。また、各針状体３２では、各枝部１０ａ，１０ｂが突出する高さが各針状体３２毎に、かつ、各枝部１０ａ，１０ｂ毎に異なる。尚、針状体３２は可撓性を有する合成樹脂（例えば、ポリエチレン樹脂等）にて取付基材４と一体形成されている。
【００５４】
このように構成された鳥獣害防止具本体３０では、各針状体３２が取付基材４上において不規則な間隔を置いて配列され、しかも、各針状体３２の高さが異なる。また、各枝部１０ａ，１０ｂが突出する高さが各針状体３２毎に、かつ、各枝部１０ａ，１０ｂ毎に異なる。従って、鳥獣害防止具本体３０自体が鳥獣害防止具本体２，２０よりも更に複雑化した形状を有するようになって、小動物の目に一層慣れにくくすることができるのである。
【００５５】
そして、鳥獣害防止具本体３０は、例えば、上記した鳥獣害防止具本体２，２０と同様に、対象物の取付部分が平坦である場合には、取付基材４の裏面を対象物の取付部分にそのまま密着させて取り付けることができる。また、鳥獣害防止具本体２全体が可撓性を有しているので、図６（ａ）に示すように、例えば、対象物が電線（特に、被覆材にて覆われた状態の電線）といった曲面を有する線状体（または、棒状体）の場合には、その外周に沿って巻き付けるようにして密着させて取り付けることができるので、針状体３２を任意の方向にも突出させることができ、鳥獣害防止効果をより確実に発揮することができる。
【００５６】
更に、このような線状体（または、棒状体）では、図６（ｂ）に示すように、鳥獣害防止具本体３０において取付基材４の裏面をその曲面に対応するような凹形部分４ａを形成しておけば、端部方向に沿って外表面に密着させて取り付けることができるのである。
【００５７】
また、以上の平坦面や曲面に限らず、取付基材４が可撓性を有しているため、鳥獣害防止具本体３０を対象物の形状に合わせて自由に湾曲させて取り付けることができるのである。例えば、図６（ａ）では、曲面を有する線状体に取り付ける例を示したが、対象物が平坦面を有する角材状の場合でも、鳥獣害防止具本体３０を折り曲げてその外周に沿って巻き付けるようにして取り付けることもできるのである。その場合においても、曲面に取り付けた場合と同様の効果を得ることができる。
【００５８】
以上説明したように、本実施例の鳥獣害防止具本体３０は、第１，第２実施例の鳥獣害防止具本体２，２０と同様の作用及び効果を得ることができる上に、複雑化した形状を有することにより、小動物の目に一層慣れにくくすることができるのである。
【００５９】
次に、第４実施例の鳥獣害防止具本体４０について以下に説明する。図７は鳥獣害防止具本体４０の概略構成を表す説明図であり、（ａ）は平面図、（ｂ）は（ａ）における方向Ｒから見た側面図、（ｃ）は（ａ）における方向Ｆから見た正面図を示す。
【００６０】
本実施例の鳥獣害防止具本体４０は、長板状の取付基材４２と、取付基材４２の表面から垂直方向に突設された複数の針状体４４からなる。尚、本実施例では、各針状体は、図７（ａ）に示すように、紙面右側より針状体４４ａ〜４４ｆの順に６個配置されている。また、以下の説明においては、複数の針状体の内で特に針状体を区別しない場合には針状体４４といい、針状体を区別して示す場合にはそれぞれ針状体４４ａ，…，４４ｆという。
【００６１】
取付基材４２の幅（詳しくは、長手方向と直交する方向の長さ）は、上記した鳥獣害防止具本体２，２０，３０の幅よりも大きい。また、複数の針状体４４はその配列に規則性はなく、取付基材４２上において不規則な位置に突設されている。そして、各針状体４４の側壁からは複数の針状の枝部４８が突出している。例えば、針状体４４ｃ，４４ｄでは枝部４８を２個有し、針状体４４ａ，４４ｂ，４４ｅでは枝部４８を３個有し、一方、針状体４４ｆでは枝部４８を４個有している（図７（ａ）等参照）。
【００６２】
また、各針状体４４は高さが異なる。更に、各針状体４４では、各枝部４８の突出位置や終端部が向く方向（詳しくは、針状の枝部４８の中心軸の方向）が各針状体４４毎に、かつ、各枝部４８毎に異なる。尚、これら取付基材４２，針状体４４はそれぞれ可撓性を有する合成樹脂（例えば、ポリエチレン樹脂等）にて一体形成されている。
【００６３】
このように構成された鳥獣害防止具本体４０では、複数の針状体４４が取付基材４２上においてそれぞれ不規則な位置間隔を置いて突設され、また、針状体４４の高さが異なり、しかも、各枝部４８が各針状体４４毎に異なる位置に突出している。また、各枝部４８は、各針状体４４毎に、かつ、各枝部４８毎に異なる方向を向くように突出し、しかも、枝部４８の長さは各針状体４４毎に、かつ、各枝部４８毎に異なる。従って、鳥獣害防止具本体４０自体が鳥獣害防止具本体２，２０，３０よりも更に複雑化した形状を有するようになって、小動物の目に尚一層慣れにくくすることができるのである。
【００６４】
そして、鳥獣害防止具本体４０は、例えば、対象物の取付部分が平坦である場合には、取付基材４２の裏面を対象物の取付部分にそのまま密着させて取り付けることができる。また、鳥獣害防止具本体４０全体が可撓性を有しているので、図８（ａ）に示すように、例えば、対象物が電線（特に、被覆材にて覆われた状態の電線）といった曲面を有する線状体（または、棒状体）の場合には、その外周に沿って巻き付けるようにして密着させて取り付けることができるので、針状体４４を任意の方向にも突出させることができ、鳥獣害防止効果をより確実に発揮することができる。
【００６５】
更に、このような線状体（または、棒状体）では、図８（ｂ）に示すように、鳥獣害防止具本体４０において取付基材４２の裏面をその曲面に対応するような凹形部分４２ａを形成しておけば、端部方向に沿って外表面に密着させて取り付けることができるのである。
【００６６】
また、以上の平坦面や曲面に限らず、取付基材４２が可撓性を有しているため、鳥獣害防止具本体４０を対象物の形状に合わせて自由に湾曲させて取り付けることができるのである。例えば、図８（ａ）では、曲面を有する線状体に取り付ける例を示したが、対象物が平坦面を有する角材状の場合でも、鳥獣害防止具本体４０を折り曲げてその外周に沿って巻き付けるようにして取り付けることもできるのである。その場合においても、曲面に取り付けた場合と同様の効果を得ることができる。
【００６７】
以上説明したように、本実施例の鳥獣害防止具本体４０は、第１，第２，第３実施例の鳥獣害防止具本体２，２０，３０と同様の作用及び効果を得ることができる上に、複雑化した形状を有することにより、小動物の目に尚一層慣れにくくすることができるのである。
【００６８】
以上、本発明の各実施例について説明したが、本発明は上記実施例に限定されるものではなく、種々の態様を採ることができる。（１）各鳥獣害防止具本体２，２０，３０，４０において、取付基材と針状体とは互いに一体形成するのに限定されず、それぞれ別々に形成した後に接着等により互いに一体化するようにしてもよい。
【００６９】
（２）各鳥獣害防止具本体２，２０，３０，４０において、少なくとも針状体を形成する形成材料として、透明または半透明の形成材料（例えば、ポリエチレン樹脂等の合成樹脂）を用いるようにしてもよい。このようにすれば、針状体を着色したり、或いは、針状体の形成材料として着色料を混合したものを用いた場合に比べて、小動物にとっては針状体の形状（ひいては、針状体の存在）を認識することが非常に困難となり、しかも、小動物が一旦鳥獣害防止具本体上やその近辺に止まってしまうと針状体が小動物の体に触れるものの、小動物には形状を認識できないため、小動物は対象物自体に恐れをなし、再度対象物に近づくのが非常に苦痛で困難なものになるのである。そのため、鳥獣害防止具本体の効果を尚一層高めることができ、しかもその効果を尚一層持続させることができる。
【００７０】
（３）各鳥獣害防止具本体２，２０，３０，４０において、針状体または取付基材を形成する形成材料として、磁性体を含んだもの（例えば、磁性体を含ませたポリエチレン樹脂等の合成樹脂）を用いてもよい。つまり、多くの小動物が磁性体を嫌うことは広く知られており、このように磁性体を含んだ形成材料を用いて鳥獣害防止具本体を形成しておけば、小動物は鳥獣害防止具本体（ひいては、対象物）に近づくのが非常に苦痛で困難なものになるのである。そのため、鳥獣害防止効果を尚一層高めることができ、しかもその効果を尚一層持続させることができるのである。
【００７１】
（４）上記した各実施例においては、鳥獣害防止具本体２，２０，３０，４０に突設する針状体の数を６個としたが、この数に限定されず、例えば、長板状の取付基材を長さを長くしたもの（例えば、テープ状のもの）を用い、そのような取付基材上に針状体をより多く突設させておけば、例えば、比較的長い距離に亘って鳥獣害防止具本体を取り付ける（換言すれば、鳥獣害防止具本体を敷設する）ことができ、或いは、拡径の線状体（または、棒状体）の外周に取り付けることができる。
【００７２】
また、本出願人が実用新案登録第３０４５７７５号公報にて提案したように、取付基材をあらかじめ螺旋状に形成しておけば、電線等の線状体（または、棒状体）に単に巻き付けるだけで簡単に鳥獣害防止具本体を取り付けることができるようになる。しかも、線状体の周囲全体から針状体が突出するようになるため、結果として針状体（ひいては枝部）の突出方向が任意の方向を向くようになり、線状体の上下左右斜めといったあらゆる方向から小動物が鳥獣害防止具本体（ひいては、対象物）に近づくのを阻止することができるようになる。
【００７３】
（５）上記した各実施例の鳥獣害防止具本体を、特に、電線等の線状体（または、棒状体）に取り付けるには、例えば、可撓性を有する形成材料（例えば、合成樹脂等）に形成され、線状体（または、棒状体）を被覆する中空筒状の被覆材を用い、この被覆材の表面にあらかじめ鳥獣害防止具本体を取り付けておき、この状態の被覆材を線状体（または、棒状体）に取り付けるようにしてもよい（以下、被覆材に鳥獣害防止具本体が取り付けられた全体の構成を鳥獣害防止具と称す）。このようにすれば、鳥獣害防止具本体を線状体（または、棒状体）に取り付けるには、単に被覆材を取り付ければよく、鳥獣害防止具の取付作業を楽に行えるようになる。
【００７４】
このような被覆材としては、図９〜図１２に示すように、中空筒状に形成され、側壁の一カ所が筒の中心軸方向に沿って切断された本体部５２と、この本体部において中心軸方向に切断された側壁の両側からそれぞれ外側方向に延設された一対の案内部５４とを有するものとして形成されたもの（被覆材５０）を用いるようにしてもよい。
【００７５】
このような被覆材に鳥獣害防止具本体を取り付けるための取付手段としては、接着、ねじ止め、釘付け等を挙げることができるが、取付基材の裏面に、被覆材に固定するための複数の結合突起を突設すると共に、被覆材に、このような結合突起を挿入固定するための複数の取付穴を穿設するようにしてもよい。このようにすれば、鳥獣害防止具本体を被覆材に取り付ける際には、接着剤等を別途用いる必要はなく、被覆材に対して極めて簡単に取り付けることができる。また、鳥獣害防止具本体が破損等によって、新しいものに交換するような場合には、取付基材裏面の結合突起を被覆材の取付穴から引き抜けばよく、鳥獣害防止具本体の取り外し・交換作業が極めて楽に行える。
【００７６】
（６）（５）にて述べたような被覆材を用いて線状体（または、棒状体）に鳥獣害防止具本体を取り付ける場合には、以下に示すように複数の鳥獣害防止具本体を用いるようにしてもよい。図９は、被覆材５０の表面に、中心軸と直交する方向に一列に取り付けられた複数の鳥獣害防止具本体を示す斜視図である。この鳥獣害防止具１００は、被覆材に２種類の鳥獣害防止具本体（鳥獣害防止具本体６０，７０）が取り付けられることによって構成されている。
【００７７】
鳥獣害防止具本体６０は、可撓性を有する長板状の取付基材６２と、取付基材６２の長手方向に沿って一列に、しかも、取付基材６２の表面から垂直方向に突設された複数の針状体６４とからなる。尚、鳥獣害防止具本体６０では針状体が５個突設され、しかも、列中では互いに規則的な間隔（等間隔）を置いて突設されている。そして、各針状体６４の側壁左右側からは、取付基材６２表面での配列方向と直交する方向に沿って、一対の枝部６８が突出している。また、各針状体６４の高さ及び各枝部６８が突出した高さはそれぞれ同じである。そして、枝部６８は、終端部が丸みを帯びつつも、全体が円錐状に近い形状を呈している。
【００７８】
一方、鳥獣害防止具本体７０は、同じく長板状の取付基材６２と、取付基材６２の長手方向に沿って一列に、しかも、取付基材６２の表面から垂直方向に突設された複数の針状体７２とからなる。尚、鳥獣害防止具本体７０では針状体が５個突設され、しかも、列中では互いに規則的な間隔（等間隔）を置いて突設されている。そして、各針状体７２の側壁左右側からは、取付基材６２表面での配列方向と直交する方向に沿って、一対の枝部７４が突出している。また、各針状体７２の高さ及び各枝部７４が突設される高さはそれぞれ同じである。そして、枝部７４は、突出方向に垂直な断面の形状が長方形を呈しているものの、終端部に向かって平らにつぶれたような外観を呈している。尚、これら取付基材６２，針状体６４，７２はそれぞれ可撓性を有する合成樹脂（例えば、ポリエチレン樹脂等）にて一体形成されている。
【００７９】
このように２種類の鳥獣害防止具本体６０，７０を混在させて被覆材５０に取り付けた場合には、鳥獣害防止具１００全体が複雑化した形状を呈するようになって、小動物の目に慣れにくくすることができる。また、単に枝部の形状を異ならせることに限定されず、例えば、図１０に示すように、針状体や枝部の長さを１つの鳥獣害防止具内で異ならせた数種類の鳥獣害防止具本体を混在して用いるようにしてもよい。或いは、取付基材上において針状体の突出方向、枝部の突出方向等を異ならせた数種類の鳥獣害防止具本体を混在して用いるようにしてもよい。その場合でも、上記した枝部の形状を異ならせた場合と同様の効果を得ることができる。
【００８０】
更に、図９及び図１０に示した各鳥獣害防止具６０，７０では、各針状体６４，７２を長板状の取付基材６２上に突設したものとして形成したが、必ずしもこのような取付基材６２は必要ではなく、被覆材５０上に各針状体６４，７２を直接突設するようにしてもよい。このようにしても、取付基材６２を用いた各鳥獣害防止具６０，７０と同様の効果を得ることができる。
【００８１】
（７）また、（５）にて述べたような被覆材を用いて線状体（または、棒状体）に鳥獣害防止具本体を取り付ける場合には、以下に示すように複数の鳥獣害防止具本体を用いるようにしてもよい。図１１は、被覆材の表面に、螺旋状に取り付けられた複数の鳥獣害防止具本体を示す斜視図である。
【００８２】
図１１に示した鳥獣害防止具本体（図１１では３個の鳥獣害防止具本体）は、全て図９に示した鳥獣害防止具本体７０と同一に形成されたものである。そのため、鳥獣害防止具本体の構成についての詳細な説明は省略し、各構成部材には同じ符号を付すようにした。
【００８３】
これらの鳥獣害防止具本体７０は、図１１中において右方向から３個目のものまでは、同一方向を向くようにして所定間隔（等間隔）を置いて螺旋状に取り付けられたものであるが、４個目のものは、他の３個のものとは螺旋の方向が異なるように取り付けられている（例えば、他の鳥獣害防止具本体と螺旋の方向が直交する方向となるように取り付けられている）。尚、これら取付基材６２，針状体７２はそれぞれ可撓性を有する合成樹脂（例えば、ポリエチレン樹脂等）にて一体形成されている。
【００８４】
このように鳥獣害防止具本体７０を被覆材に取り付けた場合には、鳥獣害防止具１００が複雑化した形状を呈するようになって、小動物の目に慣れにくくすることができる。また、単に同じ形状を有する複数の鳥獣害防止具本体を螺旋状に取り付けることに限定されず、例えば、図１２に示すように、針状体や枝部の長さを１つの鳥獣害防止具１００内で異ならせた数種類の鳥獣害防止具本体を混在して用いるようにしてもよい。或いは、取付基材上において針状体の突出方向、枝部の突出方向等を異ならせた数種類の鳥獣害防止具本体を混在して用いるようにしてもよい。その場合でも、上記した枝部の形状を異ならせた場合と同様の効果を得ることができると共に、針状体７２を任意の方向に突出させたり、任意の位置に突出させることができ、鳥獣害防止効果をより確実に発揮することができる。
【００８５】
更に、図１１及び図１２に示した各鳥獣害防止具本体７０では、針状体７２を長板状の取付基材上６２に突設したものとして形成したが、必ずしもこのような取付基材６２は必要ではなく、被覆材５０上に針状体７２を直接突設するようにしてもよい。このようにしても、取付基材６２を用いた鳥獣害防止具本体７０と同様の効果を得ることができる。
【００８６】
（８）上記した各実施例等では、各針状体及び取付基材を全て合成樹脂にて構成するものとして説明したが、これら各部は、可撓性を有する形成材料にて構成されていればよく、例えば、合成ゴム等を使用することができる。
（９）上記した各実施例等では、各針状体を取付基材上に突設したものとして鳥獣害防止具本体を構成したが、このような取付基材を用いることなく、対象物或いは被覆材等に直接設けるようにしてもよい。この場合においても、各実施例等と同様に高い鳥獣害防止効果を得ることができる。
【００８７】
（１０）上記した各実施例等では、針状体と枝部とからなるものを主体として構成されたものを鳥獣害防止具本体として説明したが、必ずしも枝部は必要なく、針状体だけでもよい。この場合、針状体を密接するように複数突設することによって小動物にとっては大きな障害となり得る。
【図面の簡単な説明】
【図１】  第１実施例の鳥獣害防止具本体２の概略構成を表す説明図である。
【図２】  曲面上への鳥獣害防止具本体２の取付方法を表す説明図である。
【図３】  第２実施例の鳥獣害防止具本体２０の概略構成を表す説明図である。
【図４】  曲面上への鳥獣害防止具本体２０の取付方法を表す説明図である。
【図５】  第３実施例の鳥獣害防止具本体３０の概略構成を表す説明図である。
【図６】  曲面上への鳥獣害防止具本体３０の取付方法を表す説明図である。
【図７】  第４実施例の鳥獣害防止具本体４０の概略構成を表す説明図である。
【図８】  曲面上への鳥獣害防止具本体４０の取付方法を表す説明図である。
【図９】  被覆材上への鳥獣害防止具本体の一取付方法を表す説明図である。
【図１０】  被覆材上へ取り付ける鳥獣害防止具本体の一例を表す説明図である。
【図１１】  被覆材上への鳥獣害防止具本体の一取付方法を表す説明図である。
【図１２】  被覆材上へ取り付ける鳥獣害防止具本体の一例を表す説明図である。
【符号の説明】
２，２０，３０，４０，６０，７０…鳥獣害防止具本体、４，４２，６２…取付基材、６，２２，３２，４４（４４ａ〜４４ｆ）…針状体、１０ａ，１０ｂ，２４ａ，２４ｂ，４８，６８，７４…枝部、１００…鳥獣害防止具。
【図１】
0004322368.tif 000002
【図２】
0004322368.tif 000003
【図３】
0004322368.tif 000004
【図４】
0004322368.tif 000005
【図５】
0004322368.tif 000006
【図６】
0004322368.tif 000007
【図７】
0004322368.tif 000008
【図８】
0004322368.tif 000009
【図９】
0004322368.tif 000010
【図１０】
0004322368.tif 000011
【図１１】
0004322368.tif 000012
【図１２】
0004322368.tif 000013